(57)【要約】  本開示の実施例は、アップリンク送信ビーム特定方法および装置を提供する。当該方法は、端末のアップリンク送信ビームがアップリンク参照信号またはダウンリンク参照信号に基づいて得られることを指示するためのビーム種類指示情報を含むアップリンク送信ビーム指示情報を、基地局から端末に送信することを含み、基地局から端末に対しアップリンク送信ビームを選択可能に確保する。【選択図】  図４
2020512748.tif 000002
【特許請求の範囲】
【請求項１】
端末のアップリンク送信ビームがアップリンク参照信号またはダウンリンク参照信号に基づいて得られることを指示するためのビーム種類指示情報を含むアップリンク送信ビーム指示情報を、基地局から端末に送信することを含むアップリンク送信ビーム特定方法。
【請求項２】
前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、
前記端末のアップリンク送信ビームがダウンリンク参照信号に基づいて得られることが前記基地局によって指示される場合、前記アップリンク送信ビーム指示情報は、ダウンリンク送信ビーム番号またはダウンリンク参照信号指示情報またはダウンリンク受信ビーム指示情報を含む請求項１に記載の方法。
【請求項３】
アップリンク送信ビーム指示情報を基地局から端末に送信する前に、
前記基地局が、アップリンク参照信号またはアップリンク／ダウンリンクビーム相反性に基づいて端末のアップリンク送信ビームを特定することをさらに含む請求項１に記載の方法。
【請求項４】
前記基地局がアップリンク参照信号に基づいて前記端末のアップリンク送信ビームを特定することは、
前記基地局が、前記端末から複数のアップリンク送信ビーム候補で送信されたアップリンク参照信号を受信することと、
前記基地局が、前記アップリンク参照信号によって最適なアップリンク送信ビームを特定することとを含む請求項３に記載の方法。
【請求項５】
各アップリンク送信ビーム候補のアップリンク参照信号は、当該アップリンク送信ビーム候補に対応するビームフォーミング重み値によってフォーミングされてから送信される請求項４に記載の方法。
【請求項６】
アップリンク送信ビーム指示情報を基地局から端末に送信する前に、
前記基地局が、自身の測定結果、または、自身の測定結果および前記端末から報告された測定結果に基づいて、ビーム種類指示情報を特定することをさらに含む請求項１に記載の方法。
【請求項７】
前記基地局が自身の測定結果に基づいてビーム種類指示情報を特定することは、
前記基地局が、前記端末から送信されたアップリンク参照信号を測定して各アップリンク参照信号の受信品質を得ることと、
前記基地局が、前記端末からダウンリンク参照信号に基づいて得られたアップリンク送信ビームで送信されたアップリンク信号を測定して前記アップリンク信号の受信品質を得ることと、
少なくとも１つのアップリンク参照信号の受信品質が前記アップリンク信号の受信品質より高くなると、前記基地局が、アップリンク参照信号に基づいてアップリンク送信ビームを得るよう端末に指示することを選択し、逆の場合、ダウンリンク参照信号に基づいてアップリンク送信ビームを得るよう端末に指示することを選択することとを含む請求項６に記載の方法。
【請求項８】
前記基地局が、自身の測定結果および前記端末から報告された測定結果に基づいてビーム種類指示情報を特定することは、
前記基地局が、前記端末から送信されたアップリンク参照信号を測定して各アップリンク参照信号の受信品質を得ることと、
前記基地局が、前記端末から報告されたダウンリンク参照信号の受信品質を受信することと、
少なくとも１つのアップリンク参照信号の受信品質が端末から報告されたすべてのダウンリンク参照信号の受信品質より高くなると、前記基地局が、アップリンク参照信号に基づいてアップリンク送信ビームを得るよう端末に指示することを選択することと、
端末から報告された少なくとも１つのダウンリンク参照信号の受信品質がすべてのアップリンク参照信号の受信品質がより高くなると、前記基地局が、ダウンリンク参照信号に基づいてアップリンク送信ビームを得るよう端末に指示することを選択することとを含む請求項６に記載の方法。
【請求項９】
前記基地局が、前記端末から特定済みのアップリンク送信ビームで送信されたアップリンク信号を受信することをさらに含む請求項２に記載の方法。
【請求項１０】
前記基地局が、前記端末から特定済みのアップリンク送信ビームで送信されたアップリンク信号を受信することは、
前記基地局が、アップリンク参照信号に基づいてアップリンク送信ビームを得るよう前記端末に指示した場合、前記基地局によって指示されたアップリンク送信ビームに対応するアップリンク受信ビームで前記端末のアップリンク信号を受信すること、または、
前記基地局が、ダウンリンク参照信号に基づいてアップリンク送信ビームを得るよう前記端末に指示した場合、前記基地局によって指示されたダウンリンク送信ビームに対応するアップリンク受信ビームで端末のアップリンク信号を受信することを含む請求項９に記載の方法。
【請求項１１】
端末のアップリンク送信ビームがアップリンク参照信号またはダウンリンク参照信号に基づいて得られることを指示するためのビーム種類指示情報を含むアップリンク送信ビーム指示情報を、端末が基地局から受信することと、
前記端末が、アップリンク送信ビーム指示情報に基づいてアップリンク送信ビームを特定することとを含むアップリンク送信ビーム特定方法。
【請求項１２】
前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、
前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む請求項１１に記載の方法。
【請求項１３】
端末が、アップリンク参照信号に基づいてアップリンク送信ビームを得るようアップリンク送信ビーム指示情報によって指示された場合、アップリンク送信ビーム番号またはアップリンク参照信号指示情報に基づいてアップリンク送信ビームの重み値を特定することをさらに含む請求項１２に記載の方法。
【請求項１４】
前記端末がアップリンク送信ビーム番号に基づいてアップリンク送信ビームの重み値を特定することは、
前記端末が、アップリンク送信ビーム番号とビームフォーミング重み値との間のマッピング関係に基づいて、アップリンク送信ビームの重み値を特定することを含む請求項１３に記載の方法。
【請求項１５】
前記端末が、ダウンリンク参照信号に基づいてアップリンク送信ビームを特定するようアップリンク送信ビーム指示情報によって指示された場合、ダウンリンク送信ビーム番号またはダウンリンク参照信号指示情報に基づいて、アップリンク送信ビームの重み値を特定することをさらに含む請求項１１に記載の方法。
【請求項１６】
前記端末がダウンリンク送信ビーム番号またはダウンリンク参照信号指示情報に基づいてアップリンク送信ビームの重み値を特定することは、
前記端末が、ダウンリンク送信ビーム番号またはダウンリンク参照信号指示情報に基づいて、対応するダウンリンク受信ビームを特定することと、
チャネル相反性に基づいて、前記ダウンリンク受信ビームからアップリンク送信ビームの重み値を特定することとを含む請求項１５に記載の方法。
【請求項１７】
端末のアップリンク送信ビームがアップリンク参照信号またはダウンリンク参照信号に基づいて得られることを指示するためのビーム種類指示情報を含むアップリンク送信ビーム指示情報を端末に送信する送信モジュールを含むアップリンク送信ビーム特定装置。
【請求項１８】
前記端末のアップリンク送信ビームがアップリンク参照信号に基づいて得られることが基地局によって指示される場合、前記アップリンク送信ビーム指示情報は、アップリンク送信ビーム番号またはアップリンク参照信号指示情報を含み、または、
前記端末のアップリンク送信ビームがダウンリンク参照信号に基づいて得られることが基地局によって指示される場合、前記アップリンク送信ビーム指示情報は、ダウンリンク送信ビーム番号またはダウンリンク参照信号指示情報またはダウンリンク受信ビーム指示情報を含む請求項１７に記載の装置。
【請求項１９】
アップリンク参照信号またはアップリンク／ダウンリンクビーム相反性に基づいて端末のアップリンク送信ビームを特定する第１特定モジュールをさらに含む請求項１７に記載の装置。
【請求項２０】
前記第１特定モジュールは、
前記端末から複数のアップリンク送信ビーム候補で送信されたアップリンク参照信号を受信する受信ユニットと、
前記アップリンク参照信号によって最適なアップリンク送信ビームを特定する第１特定ユニットとを含む請求項１９に記載の装置。
【請求項２１】
各アップリンク送信ビーム候補の参照信号は、当該ビームに対応するビームフォーミング重み値によってフォーミングされてから送信される請求項２０に記載の装置。
【請求項２２】
自身の測定結果、または、自身の測定結果および前記端末から報告された測定結果に基づいて、ビーム種類指示情報を特定する第２特定モジュールをさらに含む請求項１７に記載の装置。
【請求項２３】
前記第２特定モジュールは、
前記端末から送信されたアップリンク参照信号を測定して各アップリンク参照信号の受信品質を得る第１測定ユニットと、
前記端末からダウンリンク参照信号に基づいて得られたアップリンク送信ビームで送信されたアップリンク信号を測定して前記アップリンク信号の受信品質を得る第２測定ユニットと、
少なくとも１つのアップリンク参照信号の受信品質がアップリンク信号の受信品質より高くなると、アップリンク参照信号に基づいてアップリンク送信ビームを得るよう端末に指示することを選択し、逆の場合、ダウンリンク参照信号に基づいてアップリンク送信ビームを得るよう端末に指示することを選択する第１選択ユニットとを含む請求項２２に記載の装置。
【請求項２４】
前記第２特定モジュールは、
前記端末から送信されたアップリンク参照信号を測定して各アップリンク参照信号の受信品質を得る第３測定ユニットと、
前記端末から報告されたダウンリンク参照信号の受信品質を受信する第１受信ユニットと、
少なくとも１つのアップリンク参照信号の受信品質が端末から報告されたすべてのダウンリンク参照信号の受信品質より高くなると、アップリンク参照信号に基づいてアップリンク送信ビームを得るよう端末に指示することを選択し、端末から報告された少なくとも１つのダウンリンク参照信号の受信品質がすべてのアップリンク参照信号の受信品質がより高くなると、ダウンリンク参照信号に基づいてアップリンク送信ビームを得るよう端末に指示することを選択する第２選択ユニットとを含む請求項２２に記載の装置。
【請求項２５】
前記端末から特定済みのアップリンク送信ビームで送信されたアップリンク信号を受信する第１受信モジュールをさらに含む請求項１８に記載の装置。
【請求項２６】
前記第１受信モジュールは、
アップリンク参照信号に基づいてアップリンク送信ビームを得るよう前記端末に指示した場合、指示されたアップリンク送信ビームに対応するアップリンク受信ビームで前記端末のアップリンク信号を受信し、または、
ダウンリンク参照信号に基づいてアップリンク送信ビームを得るよう前記端末に指示した場合、指示されたダウンリンク送信ビームに対応するアップリンク受信ビームで端末のアップリンク信号を受信する第２受信ユニットを含む請求項２５に記載の装置。
【請求項２７】
端末のアップリンク送信ビームがアップリンク参照信号またはダウンリンク参照信号に基づいて得られることを指示するためのビーム種類指示情報を含むアップリンク送信ビーム指示情報を基地局から受信する第２受信モジュールと、
アップリンク送信ビーム指示情報に基づいてアップリンク送信ビームを特定する第３特定モジュールとを含むアップリンク送信ビーム特定装置。
【請求項２８】
前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、
前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む請求項２７に記載の装置。
【請求項２９】
アップリンク参照信号に基づいてアップリンク送信ビームを得るよう、アップリンク送信ビーム指示情報によって端末に指示した場合、アップリンク送信ビーム番号またはアップリンク参照信号指示情報に基づいて、アップリンク送信ビームの重み値を特定する第４特定モジュールをさらに含む請求項２７に記載の装置。
【請求項３０】
第４特定モジュールは、さらに、アップリンク送信ビーム番号とビームフォーミング重み値との間のマッピング関係に基づいて、アップリンク送信ビームの重み値を特定する請求項２９に記載の装置。
【請求項３１】
ダウンリンク参照信号に基づいてアップリンク送信ビームを特定するよう、アップリンク送信ビーム指示情報によって端末に指示した場合、ダウンリンク送信ビーム番号またはダウンリンク参照信号指示情報に基づいて、アップリンク送信ビームの重み値を特定する第５特定モジュールをさらに含む請求項２７に記載の装置。
【請求項３２】
前記第５特定モジュールは、
ダウンリンク送信ビーム番号またはダウンリンク参照信号指示情報に基づいて、対応するダウンリンク受信ビームを特定する第２特定ユニットと、
チャネル相反性に基づいて、前記ダウンリンク受信ビームからアップリンク送信ビームの重み値を特定する第３特定ユニットとを含む請求項３１に記載の装置。
【請求項３３】
第１メモリ、第１プロセッサおよび第１メモリに記憶されて第１プロセッサで実行可能なコンピュータプログラムを含む基地局において、
前記第１プロセッサが前記コンピュータプログラムを実行すると、請求項１〜１０のいずれか一項に記載のアップリンク送信ビーム特定方法のステップが実現される基地局。
【請求項３４】
第２メモリ、第２プロセッサおよび第２メモリに記憶されて第２プロセッサで実行可能なコンピュータプログラムを含む端末において、
前記第２プロセッサが前記コンピュータプログラムを実行すると、請求項１１〜１６のいずれか一項に記載のアップリンク送信ビーム特定方法のステップが実現される端末。
【請求項３５】
コンピュータプログラムが記憶されているコンピュータ読み取り可能な記憶媒体であって、
前記プログラムがプロセッサによって実行されると、請求項１〜１０のいずれか一項に記載のアップリンク送信ビーム特定方法のステップが実現されるコンピュータ読み取り可能な記憶媒体。
【請求項３６】
コンピュータプログラムが記憶されているコンピュータ読み取り可能な記憶媒体であって、
前記プログラムがプロセッサによって実行されると、請求項１１〜１６のいずれか一項に記載のアップリンク送信ビーム特定方法のステップが実現されるコンピュータ読み取り可能な記憶媒体。
【発明の詳細な説明】
【技術分野】
【０００１】
本願は、２０１７年３月１７日に中国特許庁に提出された中国特許出願２０１７１０１６１４４７．０の優先権を主張し、その全ての内容が援用によりここに取り込まれる。
本開示は、通信技術分野に係り、特にアップリンク送信ビーム特定方法および装置に係る。
【背景技術】
【０００２】
ピークレートおよびシステムのスペクトル利用率の向上に対するＭＩＭＯ（Ｍｕｌｔｉｐｌｅ−Ｉｎｐｕｔ  Ｍｕｌｔｉｐｌｅ−Ｏｕｔｐｕｔ）の重要な役割に鑑み、ＬＴＥ（Ｌｏｎｇ  Ｔｅｒｍ  Ｅｖｏｌｕｔｉｏｎ）／ＬＴＥ−Ａ（ＬＴＥ−Ａｄｖａｎｃｅｄ）などの無線アクセス技術標準は、いずれもＭＩＭＯ＋ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を基に構築される。ＭＩＭＯ技術の性能ゲインは、マルチアンテナシステムによって取得可能な空間自由度に由来する。よって、ＭＩＭＯ技術の標準化の発展過程における最も重要な進化方向は、次元の拡張である。
【０００３】
ＬＴＥ  Ｒｅｌ−８において、最多で４層のＭＩＭＯ伝送がサポートされる。Ｒｅｌ−９において、ＭＵ−ＭＩＭＯ技術の強化がポイントであり、ＴＭ（Ｔｒａｎｓｍｉｓｓｉｏｎ  Ｍｏｄｅ）−８のＭＵ−ＭＩＭＯ（Ｍｕｌｔｉ−Ｕｓｅｒ  ＭＩＭＯ）伝送では、最多で４つのダウンリンクデータ層がサポートされる。Ｒｅｌ−１０において、８アンテナポートをサポートすることを導入してチャネル状態情報の空間解析度をさらに向上させ、ＳＵ−ＭＩＭＯ（Ｓｉｎｇｌｅ−Ｕｓｅｒ  ＭＩＭＯ）の伝送能力を最多８つのデータ層まで拡張させる。Ｒｅｌ−１３とＲｅｌ−１４において、ＦＤ−ＭＩＭＯ技術の導入によって３２ポートまでサポートし、全次元および垂直方向のビームフォーミングが実現される。
【０００４】
ＭＩＭＯ技術の更なる向上のために、移動通信システムには大規模なアンテナ技術が導入される。基地局にとって、フルデジタル化の大規模なアンテナは、１２８／２５６／５１２ものアンテナ素子および１２８／２５６／５１２もの送受信機を有し、各アンテナ素子が１つの送受信機に接続される。１２８／２５６／５１２ものアンテナポートのパイロット信号を送信することによって、端末は、チャネル状態情報を測定してフィードバックする。端末にとって、３２／６４ものアンテナ素子のアンテナアレイを構成してもよい。基地局と端末の両方のビームフォーミングによって、巨大なビームフォーミングゲインを取得して経路損失による信号減衰を補う。特に高周波数帯域の通信において、たとえば３０ＧＨｚの周波数点では、経路損失によって無線信号のカバレッジが大きく限定される。大規模なアンテナ技術によって、無線信号のカバレッジを実用可能な範囲内に拡大させることができる。
【０００５】
フルデジタルアンテナアレイの各アンテナ素子には独立な送受信機を有することによって、機器のサイズ、コストおよび電力損失は、大幅に上昇する。特に送受信機のアナログデジタルコンバータ（ＡＤＣ）とデジタルアナログコンバータ（ＤＡＣ）にとって、ここ十年で、その電力損失が１／１０程度しか低下しておらず、性能の向上も比較的に限られている。機器のサイズ、コストおよび電力損失を低下させるには、アナログビームフォーミングが提案される。従来技術において、端末は、そのアップリンク送信ビームを、アップリンクビーム訓練プロセスまたはアップリンク／ダウンリンクビーム相反性に基づいて取得可能であるが、基地局の指示に基づいて特定することができない。
【発明の概要】
【発明が解決しようとする課題】
【０００６】
上記の技術的問題に鑑み、本開示の実施例は、基地局から端末に対するアップリンク送信ビームの選択を確保可能なアップリンク送信ビーム特定方法および装置を提供する。
【課題を解決するための手段】
【０００７】
本開示の実施例の第１の態様は、アップリンク送信ビーム特定方法を提供し、端末のアップリンク送信ビームがアップリンク参照信号またはダウンリンク参照信号に基づいて得られることを指示するためのビーム種類指示情報を含むアップリンク送信ビーム指示情報を、基地局から端末に送信することを含む。
【０００８】
選択可能に、前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが前記基地局によって指示される場合、前記アップリンク送信ビーム指示情報は、ダウンリンク送信ビーム番号またはダウンリンク参照信号指示情報またはダウンリンク受信ビーム指示情報を含む。
【０００９】
選択可能に、前記方法は、アップリンク送信ビーム指示情報を基地局から端末に送信する前に、前記基地局が、アップリンク参照信号またはアップリンク／ダウンリンクビーム相反性に基づいて端末のアップリンク送信ビームを特定することをさらに含む。
【００１０】
選択可能に、前記基地局がアップリンク参照信号に基づいて前記端末のアップリンク送信ビームを特定することは、前記基地局が、前記端末から複数のアップリンク送信ビーム候補で送信されたアップリンク参照信号を受信することと、前記基地局が、前記アップリンク参照信号によって最適なアップリンク送信ビームを特定することとを含む。
【００１１】
選択可能に、各アップリンク送信ビーム候補のアップリンク参照信号は、当該アップリンク送信ビーム候補に対応するビームフォーミング重み値によってフォーミングされてから送信される。
【００１２】
選択可能に、前記端末のアップリンク参照信号は、前記基地局によって構成されたリソースで送信される。
【００１３】
選択可能に、前記方法は、アップリンク送信ビーム指示情報を基地局から端末に送信する前に、前記基地局が、自身の測定結果、または、自身の測定結果および前記端末から報告された測定結果に基づいて、ビーム種類指示情報を特定することをさらに含む。
【００１４】
選択可能に、前記基地局が自身の測定結果に基づいてビーム種類指示情報を特定することは、前記基地局が、前記端末から送信されたアップリンク参照信号を測定して各アップリンク参照信号の受信品質を得ることと、前記基地局が、前記端末からダウンリンク参照信号に基づいて得られたアップリンク送信ビームで送信されたアップリンク信号を測定して前記アップリンク信号の受信品質を得ることと、少なくとも１つのアップリンク参照信号の受信品質が前記アップリンク信号の受信品質より高くなると、前記基地局が、アップリンク参照信号に基づいてアップリンク送信ビームを得るよう端末に指示することを選択し、逆の場合、ダウンリンク参照信号に基づいてアップリンク送信ビームを得るよう端末に指示することを選択することとを含む。
【００１５】
選択可能に、前記基地局が、自身の測定結果および前記端末から報告された測定結果に基づいてビーム種類指示情報を特定することは、前記基地局が、前記端末から送信されたアップリンク参照信号を測定して各アップリンク参照信号の受信品質を得ることと、前記基地局が、前記端末から報告されたダウンリンク参照信号の受信品質を受信することと、少なくとも１つのアップリンク参照信号の受信品質が端末から報告されたすべてのダウンリンク参照信号の受信品質より高くなると、前記基地局が、アップリンク参照信号に基づいてアップリンク送信ビームを得るよう端末に指示することを選択することと、端末から報告された少なくとも１つのダウンリンク参照信号の受信品質がすべてのアップリンク参照信号の受信品質がより高くなると、前記基地局が、ダウンリンク参照信号に基づいてアップリンク送信ビームを得るよう端末に指示することを選択することとを含む。
【００１６】
選択可能に、前記方法は、前記基地局が、前記端末から特定済みのアップリンク送信ビームで送信されたアップリンク信号を受信することをさらに含む。
【００１７】
選択可能に、前記基地局が、前記端末から特定済みのアップリンク送信ビームで送信されたアップリンク信号を受信することは、前記基地局が、アップリンク参照信号に基づいてアップリンク送信ビームを得るよう前記端末に指示した場合、前記基地局によって指示されたアップリンク送信ビームに対応するアップリンク受信ビームで前記端末のアップリンク信号を受信すること、または、前記基地局が、ダウンリンク参照信号に基づいてアップリンク送信ビームを得るよう前記端末に指示した場合、前記基地局によって指示されたダウンリンク送信ビームに対応するアップリンク受信ビームで端末のアップリンク信号を受信することを含む。
【００１８】
本開示の実施例の第２の態様は、アップリンク送信ビーム特定方法を提供し、端末のアップリンク送信ビームがアップリンク参照信号またはダウンリンク参照信号に基づいて得られることを指示するためのビーム種類指示情報を含むアップリンク送信ビーム指示情報を、端末が基地局から受信することと、前記端末が、アップリンク送信ビーム指示情報に基づいてアップリンク送信ビームを特定することとを含む。
【００１９】
選択可能に、前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む。
【００２０】
選択可能に、端末は、アップリンク参照信号に基づいてアップリンク送信ビームを得るようアップリンク送信ビーム指示情報によって指示された場合、アップリンク送信ビーム番号またはアップリンク参照信号指示情報に基づいてアップリンク送信ビームの重み値を特定する。
【００２１】
選択可能に、前記端末は、アップリンク送信ビーム番号とビームフォーミング重み値との間のマッピング関係に基づいて、アップリンク送信ビームの重み値を特定する。
【００２２】
選択可能に、前記端末は、ダウンリンク参照信号に基づいてアップリンク送信ビームを特定するようアップリンク送信ビーム指示情報によって指示された場合、ダウンリンク送信ビーム番号またはダウンリンク参照信号指示情報に基づいて、アップリンク送信ビームの重み値を特定する。
【００２３】
選択可能に、前記端末がダウンリンク送信ビーム番号またはダウンリンク参照信号指示情報に基づいてアップリンク送信ビームの重み値を特定することは、前記端末が、ダウンリンク送信ビーム番号またはダウンリンク参照信号指示情報に基づいて、対応するダウンリンク受信ビームを特定することと、チャネル相反性に基づいて、前記ダウンリンク受信ビームからアップリンク送信ビームの重み値を特定することとを含む。
【００２４】
本開示の実施例の第３の態様は、アップリンク送信ビーム特定装置を提供し、端末のアップリンク送信ビームがアップリンク参照信号またはダウンリンク参照信号に基づいて得られることを指示するためのビーム種類指示情報を含むアップリンク送信ビーム指示情報を端末に送信する送信モジュールを含む。
【００２５】
選択可能に、前記端末のアップリンク送信ビームがアップリンク参照信号に基づいて得られることが基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが基地局によって指示される場合、前記アップリンク送信ビーム指示情報は、ダウンリンク送信ビーム番号またはダウンリンク参照信号指示情報またはダウンリンク受信ビーム指示情報を含む。
【００２６】
選択可能に、前記装置は、アップリンク参照信号またはアップリンク／ダウンリンクビーム相反性に基づいて端末のアップリンク送信ビームを特定する第１特定モジュールをさらに含む。
【００２７】
選択可能に、前記第１特定モジュールは、前記端末から複数のアップリンク送信ビーム候補で送信されたアップリンク参照信号を受信する受信ユニットと、前記アップリンク参照信号によって最適なアップリンク送信ビームを特定する第１特定ユニットとを含む。
【００２８】
選択可能に、各アップリンク送信ビーム候補の参照信号は、当該ビームに対応するビームフォーミング重み値によってフォーミングされてから送信される。
【００２９】
選択可能に、前記装置は、自身の測定結果、または、自身の測定結果および前記端末から報告された測定結果に基づいて、ビーム種類指示情報を特定する第２特定モジュールをさらに含む。
【００３０】
選択可能に、前記第２特定モジュールは、前記端末から送信されたアップリンク参照信号を測定して各アップリンク参照信号の受信品質を得る第１測定ユニットと、前記端末からダウンリンク参照信号に基づいて得られたアップリンク送信ビームで送信されたアップリンク信号を測定して前記アップリンク信号の受信品質を得る第２測定ユニットと、少なくとも１つのアップリンク参照信号の受信品質がアップリンク信号の受信品質より高くなると、アップリンク参照信号に基づいてアップリンク送信ビームを得るよう端末に指示することを選択し、逆の場合、ダウンリンク参照信号に基づいてアップリンク送信ビームを得るよう端末に指示することを選択する第１選択ユニットとを含む。
【００３１】
選択可能に、前記第２特定モジュールは、前記端末から送信されたアップリンク参照信号を測定して各アップリンク参照信号の受信品質を得る第３測定ユニットと、前記端末から報告されたダウンリンク参照信号の受信品質を受信する第１受信ユニットと、少なくとも１つのアップリンク参照信号の受信品質が端末から報告されたすべてのダウンリンク参照信号の受信品質より高くなると、アップリンク参照信号に基づいてアップリンク送信ビームを得るよう端末に指示することを選択し、端末から報告された少なくとも１つのダウンリンク参照信号の受信品質がすべてのアップリンク参照信号の受信品質がより高くなると、ダウンリンク参照信号に基づいてアップリンク送信ビームを得るよう端末に指示することを選択する第２選択ユニットとを含む。
【００３２】
選択可能に、前記装置は、前記端末から特定済みのアップリンク送信ビームで送信されたアップリンク信号を受信する第１受信モジュールをさらに含む。
【００３３】
選択可能に、前記第１受信モジュールは、アップリンク参照信号に基づいてアップリンク送信ビームを得るよう前記端末に指示した場合、指示されたアップリンク送信ビームに対応するアップリンク受信ビームで前記端末のアップリンク信号を受信し、または、ダウンリンク参照信号に基づいてアップリンク送信ビームを得るよう前記端末に指示した場合、指示されたダウンリンク送信ビームに対応するアップリンク受信ビームで端末のアップリンク信号を受信する第２受信ユニットを含む。
【００３４】
本開示の実施例の第４の態様は、アップリンク送信ビーム特定装置を提供し、端末のアップリンク送信ビームがアップリンク参照信号またはダウンリンク参照信号に基づいて得られることを指示するためのビーム種類指示情報を含むアップリンク送信ビーム指示情報を基地局から受信する第２受信モジュールと、アップリンク送信ビーム指示情報に基づいてアップリンク送信ビームを特定する第３特定モジュールとを含む。
【００３５】
選択可能に、前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む。
【００３６】
選択可能に、前記装置は、アップリンク参照信号に基づいてアップリンク送信ビームを得るよう、アップリンク送信ビーム指示情報によって端末に指示した場合、アップリンク送信ビーム番号またはアップリンク参照信号指示情報に基づいて、アップリンク送信ビームの重み値を特定する第４特定モジュールをさらに含む。
【００３７】
選択可能に、第４特定モジュールは、さらに、アップリンク送信ビーム番号とビームフォーミング重み値との間のマッピング関係に基づいて、アップリンク送信ビームの重み値を特定する。
【００３８】
選択可能に、前記装置は、ダウンリンク参照信号に基づいてアップリンク送信ビームを特定するよう、アップリンク送信ビーム指示情報によって端末に指示した場合、ダウンリンク送信ビーム番号またはダウンリンク参照信号指示情報に基づいて、アップリンク送信ビームの重み値を特定する第５特定モジュールをさらに含む。
【００３９】
選択可能に、前記第５特定モジュールは、ダウンリンク送信ビーム番号またはダウンリンク参照信号指示情報に基づいて、対応するダウンリンク受信ビームを特定する第２特定ユニットと、チャネル相反性に基づいて、前記ダウンリンク受信ビームからアップリンク送信ビームの重み値を特定する第３特定ユニットとを含む。
【００４０】
本開示の実施例の第５の態様は、第１メモリ、第１プロセッサおよび第１メモリに記憶されて第１プロセッサで実行可能なコンピュータプログラムを含む基地局を提供し、前記第１プロセッサが前記コンピュータプログラムを実行すると、第１の態様に記載のアップリンク送信ビーム特定方法のステップが実現される。
【００４１】
本開示の実施例の第６の態様は、第２メモリ、第２プロセッサおよび第２メモリに記憶されて第２プロセッサで実行可能なコンピュータプログラムを含む端末を提供し、前記第２プロセッサが前記コンピュータプログラムを実行すると、第２の態様に記載のアップリンク送信ビーム特定方法のステップが実現される。
【００４２】
本開示の実施例の第７の態様は、コンピュータプログラムが記憶されているコンピュータ読み取り可能な記憶媒体を提供し、前記プログラムがプロセッサによって実行されると、第１の態様に記載のアップリンク送信ビーム特定方法のステップが実現される。
【００４３】
本開示の実施例の第８の態様は、コンピュータプログラムが記憶されているコンピュータ読み取り可能な記憶媒体を提供し、前記プログラムがプロセッサによって実行されると、第２の態様に記載のアップリンク送信ビーム特定方法のステップが実現される。
発明の効果
【００４４】
端末のアップリンク送信ビームがアップリンク参照信号に基づいて得られるか、それともダウンリンク参照信号に基づいて得られるかを、ビーム種類指示情報で指示することによって、基地局から端末に対するアップリンク送信ビームの選択を確保することができる。
【図面の簡単な説明】
【００４５】
【図１】図１は、アナログビームフォーミング（中間周波数信号の重み付きビームフォーミング）の概略図である。
【図２】図２は、アナログビームフォーミング（ラジオ周波数信号の重み付きビームフォーミング）の概略図である。
【図３】図３は、デジタルアナログ混合型ビームフォーミングの概略図である。
【図４】図４は、本開示の一部実施例におけるアップリンク送信ビーム特定方法のフローチャートである。
【図５】図５は、本開示の別の一部実施例におけるアップリンク送信ビーム特定方法のフローチャートである。
【図６】図６は、本開示の別の一部実施例におけるアップリンク送信ビーム特定方法のフローチャートである。
【図７】図７は、本開示の一部実施例におけるアップリンク送信ビーム特定装置のブロック図である。
【図８】図８は、本開示の別の一部実施例におけるアップリンク送信ビーム特定装置のブロック図である。
【図９】図９は、本開示の一部実施例における基地局の構造図である。
【図１０】図１０は、本開示の一部実施例における端末の構造図である。
【発明を実施するための形態】
【００４６】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００４７】
図１と図２に示されているように、アナログビームフォーミングの主な特徴とは、移相器による中間周波数信号（図１）またはラジオ周波数信号（図２）の重み付きビームフォーミングである。利点として、すべての送信（受信）アンテナに１つの送受信ユニットしかないため、実現されやすく、コスト、サイズおよび電力損失を低下させる。
【００４８】
図４を参照する。図４には、アップリンク送信ビーム特定方法のフローが示されている。当該方法は、実行主体が基地局であり、具体的なステップが以下である。
【００４９】
ステップ４０１において、基地局からアップリンク送信ビーム指示情報を端末に送信する。ここで、前記アップリンク送信ビーム指示情報は、ビーム種類指示情報を含む。前記ビーム種類指示情報は、端末のアップリンク送信ビームがアップリンク参照信号またはダウンリンク参照信号に基づいて得られることを指示する。
【００５０】
Ｒ９のダウンリンクにおいて、Ｃ−ＲＳ、ＵＥ−ＲＳ（ＤＭ−ＲＳとも称される）、ＭＢＳＦＮ参照信号およびＰ−ＲＳの４種類の参照信号が定義されている。Ｒ１０のダウンリンクにおいて、Ｃ−ＲＳ、ＵＥ−ＲＳ（ＤＭ−ＲＳとも称される）、ＭＢＳＦＮ参照信号、Ｐ−ＲＳおよびＣＳＩ−ＲＳの５種類の参照信号が定義されている。アップリンク参照信号は、ＤＭ−ＲＳとＳＲＳを含む。
【００５１】
本実施例において、上記アップリンク送信ビームは、アップリンクビーム訓練プロセスに基づいて得られる。
【００５２】
本実施例において、端末のアップリンク送信ビームは、アップリンク／ダウンリンクチャネル相反性に基づいて得られる。ＴＤＤシステムの場合、一定の可干渉時間内で、同一周波数帯域のアップリンク／ダウンリンクチャネル特性がほぼ同一であり、チャネル相反性と呼ばれる。たとえば、ＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ）システムのアップリンク／ダウンリンクが同一周波数リソースの異なるスロットで伝送されるため、相対的に短い時間内（チャネル伝送の可干渉時間）では、アップリンク／ダウンリンクの伝送信号のチャネル減衰が同一であるとみなしてもよい。これは、ＴＤ−ＬＴＥのチャネル相反性である。
【００５３】
なお、本実施例において、ビーム種類指示情報は、端末のアップリンク送信ビームがアップリンク参照信号に基づいて得られるか、それともダウンリンク参照信号に基づいて得られるかを指示する。
【００５４】
本実施例において、基地局は、ビーム種類指示情報によって、アップリンク参照信号に基づいて得られるアップリンク送信ビームの使用、または、ダウンリンク参照信号に基づいて得られるアップリンク送信ビームの使用を端末に指示する。このような方式によって、基地局から端末に対するアップリンク送信ビームの選択を確保することができる。
【００５５】
前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含む。または、前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む。
【００５６】
本実施例において、選択可能に、基地局は、アップリンク送信ビーム指示情報を端末に送信する前に、以下２種類の方式で端末のアップリンク送信ビームを特定する。
方式１：基地局は、アップリンク参照信号に基づいて端末のアップリンク送信ビームを特定する。
方式２：基地局は、アップリンク／ダウンリンクチャネル相反性に基づいて端末のアップリンク送信ビームを特定する。
【００５７】
上記方式１は、具体的に、基地局が、端末から複数のアップリンク送信ビーム候補で送信されたアップリンク参照信号を受信することと、基地局が、アップリンク参照信号によって最適なアップリンク送信ビームを特定することとを含む。たとえば、基地局は、アップリンク参照信号を測定することによって最適なアップリンク送信ビームを特定する。よって、基地局は、端末に対し適切なアップリンク送信ビームを選択することができる。
【００５８】
ここで、各アップリンク送信ビーム候補の参照信号は、当該ビームに対応するビームフォーミング重み値によってフォーミングされてから送信される。
【００５９】
ここで、端末のアップリンク参照信号は、前記基地局によって構成されたリソースで送信される。たとえば、構成されたリソースは、周期性リソース、非周期性リソースまたは半継続的リソースである。
【００６０】
アナログビームフォーミング性能をさらに向上させるには、図３に示すようなデジタルアナログ混合型ビームフォーミング送受信アーキテクチャが提案される。図３では、送信側と受信側にそれぞれ
【数１】
2020512748.tif 000003
個の送受信ユニットを有し、送信側のアンテナユニット数ＮＴは、
【数２】
2020512748.tif 000004
より多く、受信側のアンテナユニット数ＮＲは、
【数３】
2020512748.tif 000005
より多く、ビームフォーミングにサポートされる最大並行伝送ストリーム数は、
【数４】
2020512748.tif 000006
である。図３の混合型ビームフォーミング構造は、デジタルビームフォーミングの柔軟性とアナログビームフォーミングの低複雑度の間でバランスを取り、複数のデータストリームと複数のユーザの同時フォーミングをサポート可能な能力を有するとともに、複雑度も合理的な範囲内にコントロールされる。
【００６１】
アナログビームフォーミングとデジタルアナログ混合型ビームフォーミングのいずれも、送受信の両方のアナログビームフォーミング重み値を調整する必要があり、それによって、形成されるビームは、通信の相手側に向けられる。ダウンリンク伝送の場合、基地局側から送信されるビームフォーミング重み値および端末側で受信されるビームフォーミング重み値を調整する必要があり、アップリンク伝送の場合、端末側から送信され、基地局側で受信されるビームフォーミング重み値を調整する必要がある。ビームフォーミング重み値は、通常、訓練信号の送信によって取得される。ダウンリンク方向において、基地局は、ダウンリンクビーム訓練信号を送信し、端末は、ダウンリンクビーム訓練信号を測定し、基地局からの最適な送信ビームを選択し、ビーム関連情報を基地局にフィードバックするとともに、対応する最適な受信ビームを選択してローカルに保存する。アップリンク方向において、端末は、アップリンクビーム訓練信号を送信し、基地局は、アップリンクビーム訓練信号を測定し、端末からの最適な送信ビームを選択し、ビーム関連情報を端末に伝達するとともに、対応する最適な受信ビームを選択してローカルに保存する。アップリンク／ダウンリンクの送受信ビームの訓練後に、データ伝送が行われる。
【００６２】
アップリンク／ダウンリンクのビーム訓練はシステムコストの増加につながり、特にアップリンクビーム訓練には、各端末からのアップリンクビーム訓練信号の送信を必要とされる。ビーム相反性が成立した場合、端末は、ダウンリンクビーム訓練プロセスで得たダウンリンク受信ビームに基づいてアップリンク送信ビームを特定することができ、アップリンクビーム訓練のコスト節約になる。
【００６３】
実際の機器における素子の非理想特性やアップリンク／ダウンリンク干渉の非相反性などによって、アップリンク／ダウンリンクチャネル相反性で得られたアップリンク送信ビームは、常に最適なビームであるとは限らない。完全にビーム相反性に頼って端末のアップリンク送信ビームを選択するのであれば、システムの最適な性能が達成できない。
【００６４】
本実施例において、選択可能に、基地局は、アップリンク送信ビーム指示情報を端末に送信する前に、以下２種類の方式でビーム種類指示情報を特定する。
【００６５】
方式１：基地局は、自身の測定結果に基づいて、ビーム種類指示情報を特定する。具体的に、基地局は、前記端末から送信されたアップリンク参照信号を測定して各アップリンク参照信号の受信品質を得る。前記基地局は、前記端末からダウンリンク参照信号に基づいて得られたアップリンク送信ビームで送信されたアップリンク信号（たとえば参照信号、データチャネルの信号など）を測定してアップリンク信号の受信品質を得る。少なくとも１つのアップリンク参照信号の受信品質がチャネル相反性ビームで送信されたアップリンク信号の受信品質より高くなると、前記基地局は、アップリンク参照信号に基づいてアップリンク送信ビームを得るよう端末に指示することを選択し、逆の場合、ダウンリンク参照信号に基づいてアップリンク送信ビームを得るよう端末に指示することを選択する。上記のダウンリンク参照信号に基づいて得られるアップリンク送信ビームとは、チャネル相反性によって選択され、ダウンリンク参照信号に対応するアップリンク送信ビームである。
【００６６】
方式２：基地局は、自身の測定結果および前記端末から報告された測定結果に基づいて、ビーム種類指示情報を特定する。具体的に、基地局は、前記端末から送信されたアップリンク参照信号を測定して各アップリンク参照信号の受信品質を得る。ここで、当該アップリンク参照信号は、端末からアップリンクビーム訓練プロセスで得られたアップリンク送信ビームで送信される。基地局は、前記端末から報告されたダウンリンク参照信号の受信品質を受信する。少なくとも１つのアップリンク参照信号の受信品質が端末から報告されたすべてのダウンリンク参照信号の受信品質より高くなると、前記基地局は、アップリンク参照信号に基づいてアップリンク送信ビームを得るよう端末に指示することを選択する。端末から報告された少なくとも１つのダウンリンク参照信号の受信品質がすべてのアップリンク参照信号の受信品質がより高くなると、前記基地局は、ダウンリンク参照信号に基づいてアップリンク送信ビームを得るよう端末に指示することを選択する。
【００６７】
上記２種類の方式によって、基地局から端末に対し適切なアップリンク送信ビームを選択することができ、チャネル相反性が非理想的な場合のシステム性能を向上させる。
【００６８】
本実施例において、選択可能に、前記方法は、基地局が、前記端末から特定済みのアップリンク送信ビームで送信されたアップリンク信号を受信することをさらに含む。
【００６９】
具体的に、基地局は、アップリンク参照信号に基づいてアップリンク送信ビームを得るよう前記端末に指示した場合、前記基地局によって指示されたアップリンク送信ビームに対応するアップリンク受信ビームで前記端末のアップリンク信号を受信する。アップリンク送信ビームと受信ビームの対応関係は、アップリンクビーム訓練プロセスで特定される。または、前記基地局は、ダウンリンク参照信号に基づいてアップリンク送信ビームを得るよう前記端末に指示した場合、前記基地局によって指示されたダウンリンク送信ビームに対応するアップリンク受信ビームで端末のアップリンク信号を受信する。ダウンリンク送信ビームとアップリンク受信ビームの対応関係は、チャネル相反性に基づく対応関係である。
【００７０】
本実施例において、端末のアップリンク送信ビームがアップリンク参照信号に基づいて得られるか、それともダウンリンク参照信号に基づいて得られるかを、ビーム種類指示情報で指示する。ここで、ビーム種類指示情報は、基地局自身の測定結果に基づいて特定されてもよく、基地局自身の測定結果および端末から報告された測定結果に基づいて得られてもよい。よって、基地局から端末に対し適切なアップリンク送信ビームを選択することができ、チャネル相反性が非理想的な場合のシステム性能を向上させる。
【００７１】
図５を参照する。図５には、アップリンク送信ビーム特定方法のフローが示されている。当該方法は、実行主体が端末であり、具体的に、端末のアップリンク送信ビームがアップリンク参照信号またはダウンリンク参照信号に基づいて得られることを指示するためのビーム種類指示情報を含むアップリンク送信ビーム指示情報を、端末が基地局から受信するステップ５０１と、端末が、アップリンク送信ビーム指示情報に基づいてアップリンク送信ビームを特定するステップ５０２とを含む。
【００７２】
本実施例において、選択可能に、前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む。
【００７３】
本実施例において、選択可能に、端末は、アップリンク参照信号に基づいてアップリンク送信ビームを得るようアップリンク送信ビーム指示情報によって指示された場合、アップリンク送信ビーム番号またはアップリンク参照信号指示情報に基づいてアップリンク送信ビームの重み値を特定する。
【００７４】
本実施例において、選択可能に、前記端末は、アップリンク送信ビーム番号とビームフォーミング重み値との間のマッピング関係に基づいて、アップリンク送信ビームの重み値を特定し、または、アップリンク送信ビームとビームフォーミング重み値との間のマッピング関係に基づいて、アップリンク送信ビームの重み値を特定する。
【００７５】
本実施例において、選択可能に、前記端末は、ダウンリンク参照信号に基づいてアップリンク送信ビームを特定するようアップリンク送信ビーム指示情報によって指示された場合、ダウンリンク送信ビーム番号またはダウンリンク参照信号指示情報に基づいて、アップリンク送信ビームの重み値を特定する。たとえば、前記端末は、ダウンリンク送信ビーム番号またはダウンリンク参照信号指示情報に基づいて、対応するダウンリンク受信ビームを特定し、チャネル相反性に基づいて、前記ダウンリンク受信ビームからアップリンク送信ビームの重み値を特定する。
【００７６】
本実施例において、端末のアップリンク送信ビームがアップリンク参照信号に基づいて得られるか、それともダウンリンク参照信号に基づいて得られるかを、ビーム種類指示情報で指示する。ここで、ビーム種類指示情報は、基地局自身の測定結果に基づいて特定されてもよく、基地局自身の測定結果および端末から報告された測定結果に基づいて得られてもよい。よって、基地局から端末に対し適切なアップリンク送信ビームを選択することができ、チャネル相反性が非理想的な場合のシステム性能を向上させる。
【００７７】
図６を参照する。図６には、アップリンク送信ビーム特定方法のフローが示され、ステップ６０１〜６０４を含む。
【００７８】
ステップ６０１において、基地局は、端末のアップリンク送信ビームを特定する。
【００７９】
本ステップにおいて、基地局は、以下２種類の方式で端末のアップリンク送信ビームを特定する。
方式１：アップリンク／ダウンリンクチャネル相反性に基づいてアップリンク送信ビームを得る。
方式２：アップリンク参照信号に基づいてアップリンク送信ビームを特定する。
【００８０】
アップリンク参照信号に基づくアップリンク送信ビームの特定プロセス：
１）端末は、複数のアップリンク送信ビーム候補のアップリンク送信信号を送信する。
端末のアップリンク送信ビーム候補の数は、端末のハードウェアの能力による。仮に端末に計
【数５】
2020512748.tif 000007
個のアップリンク送信ビーム候補を有し、各アップリンク送信ビーム候補が１組のビームフォーミング重み値に対応し、第ｎ個のビームの送信ビームフォーミング重み値は、
【数６】
2020512748.tif 000008
である。ここでＬは、ビームフォーミングのアンテナユニット数であり、端末のアンテナユニット数より小さい。端末は、アップリンク送信ビーム候補毎に１つのアップリンク参照信号を送信する。たとえば、
【数７】
2020512748.tif 000009
個のアップリンク送信ビームに対し、端末は、
【数８】
2020512748.tif 000010
個のアップリンク参照信号を送信する。当該
【数９】
2020512748.tif 000011
個のアップリンク参照信号の間は、ＴＤＭ、ＦＤＭ（Ｆｒｅｑｕｅｎｃｙ  Ｄｉｖｉｓｉｏｎ  Ｍｕｌｔｉｐｌｅｘｉｎｇ）、ＣＤＭまたは各種類の多重化方式の組み合わせが用いられる。たとえば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を基とするシステムにおいて、
【数１０】
2020512748.tif 000012
個のアップリンク参照信号は、
【数１１】
2020512748.tif 000013
個のＯＦＤＭシンボルを占め、各アップリンク参照信号は、１つのＯＦＤＭシンボルを占め、アップリンク参照信号の間は、ＴＤＭである。１つのＯＦＤＭシンボルで複数のビームのアップリンク参照信号を送信してもよく、それらの間は、ＦＤＭまたはＣＤＭである。
ここで、各ビームのビーム訓練信号は、当該ビームに対応するビームフォーミング重み値でフォーミングされてから送信される。
ここで、端末のアップリンク送信ビーム訓練信号は、基地局によって構成されたリソースで送信される。構成されたリソースは、周期性リソース、非周期性リソースまたは半継続的リソースである。
２）基地局は、端末から送信されたアップリンク参照信号を受信することによって最適なアップリンク送信ビームを特定する。具体的に、基地局は、アップリンク参照信号を測定して最適なアップリンク送信ビームを特定する。
【００８１】
たとえば、端末は、アップリンク参照信号の受信電力が最も強いビームを最適なアップリンク送信ビームとして選択する。最適なアップリンク送信ビームは、１つのビーム（１回の訓練プロセスで１つのビームを推薦するが、複数のビーム訓練プロセスを行う場合複数の異なるビームを推薦してもよい）であってもよく、複数のビームであってもよい。
【００８２】
基地局は、最適なアップリンク送信ビームの番号を特定する。番号は、端末のすべてのアップリンク送信ビーム候補の範囲内で選択される。たとえば、
【数１２】
2020512748.tif 000014
個のアップリンク送信ビーム候補の番号は、それぞれ、
【数１３】
2020512748.tif 000015
である。番号は、端末から送信されたアップリンク参照信号の範囲内で選択されてもよい。たとえば、端末から
【数１４】
2020512748.tif 000016
個のアップリンク参照信号が送信され、各ビーム訓練信号は、１つのアップリンク送信ビームに対応し、その番号の範囲が
【数１５】
2020512748.tif 000017
である。
【００８３】
１つのありうる実施形態は、アップリンクビーム訓練プロセスが比較的大きい周期で行われ、２回のビーム訓練プロセスで、チャネル相反性に基づいてアップリンク送信ビームを特定する。
【００８４】
ステップ６０２において、基地局は、アップリンク送信ビーム指示情報を端末に送信する。アップリンク送信ビーム指示情報は、端末のアップリンク送信ビームがアップリンク参照信号またはダウンリンク参照信号に基づいて得られることを指示するためのビーム種類指示情報を含む。
【００８５】
アップリンク参照信号に基づいて特定するのであれば、アップリンク送信ビーム指示情報は、アップリンク送信ビーム番号またはアップリンク参照信号指示情報を含む。
【００８６】
アップリンク／ダウンリンクチャネル相反性に基づいて特定するのであれば、アップリンク送信ビーム指示情報は、ダウンリンク送信ビーム番号またはダウンリンクビーム訓練信号指示情報またはダウンリンク受信ビーム指示情報を含む。
【００８７】
本実施例において、基地局は、自身の測定結果に基づいて端末のアップリンク送信ビームの種類を特定することができる。
【００８８】
たとえば、基地局は、端末から送信されたアップリンク参照信号（またはアップリンクビーム訓練信号と称される）を測定して各アップリンク参照信号の受信品質、たとえばＲＳＲＰ（Ｒｅｆｅｒｅｎｃｅ  Ｓｉｇｎａｌ  Ｒｅｃｅｉｖｉｎｇ  Ｐｏｗｅｒ）を得る。同時に、基地局は、端末からチャネル相反性ビームで送信されたアップリンク信号、たとえば参照信号、データチャネルの信号などを測定してＲＳＲＰ値を得る。基地局は、両者の測定値を比較し、少なくとも１つのアップリンク参照信号の受信品質がチャネル相反性で送信されたアップリンク信号の受信品質より高くなると、アップリンク参照信号に基づいてアップリンク送信ビームを特定するよう端末に指示することを選択し、逆の場合、ダウンリンク参照信号に基づいてアップリンク送信ビームを特定するよう端末に指示することを選択する。
【００８９】
本実施例において、基地局は、自身の測定結果および端末から報告された測定結果に基づいて、端末のアップリンク送信ビームの種類を特定することができる。
【００９０】
たとえば、基地局は、端末から送信されたアップリンク参照信号を測定して各アップリンク参照信号の受信品質、たとえばＲＳＲＰを得る。同時に、基地局は、端末から報告されたダウンリンク参照信号の受信品質、たとえばＲＳＲＰ値を受信する。基地局は、両者を比較し、少なくとも１つのアップリンク参照信号の受信品質が端末から報告されたすべてのダウンリンク参照信号の受信品質より高くなると、アップリンク参照信号に基づいてアップリンク送信ビームを特定するよう端末に指示することを選択し、端末から報告された少なくとも１つのダウンリンク参照信号の受信品質がすべてのアップリンク参照信号の受信品質がより高くなると、ダウンリンク参照信号に基づいてアップリンク送信ビームを特定するよう端末に指示することを選択する。
【００９１】
受信品質が送信電力から影響を受けるため、基地局は、比較の際に、送信電力の影響をなくす必要がある。すなわち、基地局によって測定された結果から、端末の送信電力を減じる必要があり、端末から報告された測定結果から、基地局の送信電力を減じる必要がある。
【００９２】
ステップ６０３において、端末は、基地局から送信されたアップリンク送信ビーム指示情報を受信する。
１）端末は、アップリンク参照信号に基づいてアップリンク送信ビームを特定するよう指示情報によって指示された場合、アップリンク送信ビーム番号（またはアップリンク参照信号指示情報）に基づいて、アップリンク送信ビームの重み値を特定する。
たとえば、アップリンク送信ビーム番号は、すべてのビーム候補の範囲内で選択される。すると、端末は、番号とビームフォーミング重み値との間のマッピング関係に基づいて、アップリンク送信ビームの重み値を特定する。当該マッピング関係は、端末に保存される。また、たとえば、アップリンク送信ビーム番号は、アップリンク参照信号の範囲内で選択される。すると、端末は、番号とアップリンク参照信号およびビームフォーミング重み値のマッピング関係に基づいて、アップリンク送信ビームの重み値を特定する。当該マッピング関係は、端末に保存される。
２）端末は、アップリンク／ダウンリンクチャネル相反性に基づいてアップリンク送信ビームを得るよう指示情報によって指示された場合、ダウンリンク送信ビーム番号（またはダウンリンク参照信号指示情報など）に基づいてアップリンク送信ビームの重み値を特定する。
具体的に、端末は、ダウンリンク送信ビーム番号（またはダウンリンク参照信号指示情報など）に基づいて、対応するダウンリンク受信ビームを特定し、チャネル相反性に基づいて、ダウンリンク受信ビームからアップリンク送信ビームの重み値を特定する。
【００９３】
なお、ここのダウンリンクの受信およびアップリンクの送信は、同一組のビームフォーミング重み値によって、同一方向（または近い方向）を指向する受信ビームおよび送信ビームを生成する。または、端末のダウンリンク受信ビームとアップリンク送信ビームには特定済みの対応関係を有する。すなわち、基地局の信号を受信するダウンリンク受信ビームが与えられると、当該対応関係から、１つのアップリンクの送信ビームを特定することができ、当該送信ビームによって、当該端末のアップリンク信号／チャネル／データを基地局に送信することができる。
【００９４】
ダウンリンク送信ビームに対応するダウンリンク受信ビームは、ダウンリンクビーム訓練プロセスで得られる（当該プロセスは、指示情報を受信してから行われるとは限らず、指示情報を受信する前に完成されてもよい）。
１）基地局は、ダウンリンクビーム訓練信号を送信する。基地局は、計
【数１６】
2020512748.tif 000018
個のダウンリンク送信ビーム候補を有し、各ダウンリンクビームが１組のビームフォーミング重み値に対応し、第ｎ個のビームの送信ビームフォーミング重み値は、
【数１７】
2020512748.tif 000019
である。ここでＫは、ビームフォーミングのアンテナユニット数であり、基地局のアンテナユニット数より小さい。基地局は、ダウンリンク送信ビーム候補毎に１つのビーム訓練信号を送信する。たとえば、
【数１８】
2020512748.tif 000020
個のダウンリンク送信ビームに対し、基地局は、
【数１９】
2020512748.tif 000021
個の訓練信号を送信する。当該
【数２０】
2020512748.tif 000022
個の訓練信号の間は、ＴＤＭ、ＦＤＭ、ＣＤＭまたは各種類の多重化方式の組み合わせが用いられる。たとえば、ＯＦＤＭを基とするシステムにおいて、
【数２１】
2020512748.tif 000023
個の訓練信号は、
【数２２】
2020512748.tif 000024
個のＯＦＤＭシンボルを占め、各訓練信号は、１つのＯＦＤＭシンボルを占め、訓練信号の間は、ＴＤＭである。１つのＯＦＤＭシンボルで複数のビームの訓練信号を送信してもよく、それらの間は、ＦＤＭまたはＣＤＭである。
ここで、各ビームのビーム訓練信号は、当該ビームに対応するビームフォーミング重み値によってフォーミングされてから送信される。
ここで、ビーム訓練信号は、周期的に送信されたり、非周期的に送信されたり、半継続的に送信されたりする。
２）端末は、基地局から送信されたダウンリンクビーム訓練信号を受信し、ビーム訓練信号を測定することによって、ダウンリンク送信ビームに対応する受信ビームを選択する。
１つのダウンリンク送信ビームに対し、端末は、対応する受信ビームを特定する。端末の受信ビームは、受信ビーム候補から選択される。端末は、計
【数２３】
2020512748.tif 000025
個の受信ビームを有し、各受信ビームが１組のビームフォーミング重み値に対応し、第ｎ個のビームの送信ビームフォーミング重み値は、
【数２４】
2020512748.tif 000026
である。ここでＬは、ビームフォーミングのアンテナユニット数であり、端末のアンテナユニット数より小さい。端末は、１つのダウンリンクビーム訓練信号（またはほかの信号）の受信を、各受信ビームで試み、受信信号電力の最も強い受信ビームを当該ダウンリンク送信ビームの受信ビームとして選択する。
【００９５】
ステップ６０４において、基地局は、端末から特定済みのアップリンク送信ビームで送信されたアップリンク信号を受信する。
【００９６】
基地局は、アップリンク参照信号に基づいてアップリンク送信ビームを特定するよう端末に指示した場合、指示されたアップリンク送信ビームに対応するアップリンク受信ビームで端末のアップリンク信号を受信する。ここの対応関係は、アップリンクビーム訓練プロセスで特定される。
【００９７】
基地局は、チャネル相反性に基づいてアップリンク送信ビームを特定するよう端末に指示した場合、指示されたダウンリンク送信ビームに対応するアップリンク受信ビームで端末のアップリンク信号を受信する。ここの対応関係は、チャネル相反性に基づく対応関係である。
【００９８】
同一の発明思想に基づいて、本開示の実施例は、アップリンク送信ビーム特定装置をさらに提供する。当該装置は、問題を解決する原理が本開示の実施例の図４、図６におけるアップリンク送信ビーム特定方法に似るため、その実施例については方法の実施例を参照されたく、重複なところを繰り返して記載しない。
【００９９】
図７を参照する。図７には、アップリンク送信ビーム特定装置の構造が示されている。当該装置７００は、端末のアップリンク送信ビームがアップリンク参照信号またはダウンリンク参照信号に基づいて得られることを指示するためのビーム種類指示情報を含むアップリンク送信ビーム指示情報を端末に送信する送信モジュール７０１を含む。
【０１００】
本実施例において、選択可能に、前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが基地局によって指示される場合、前記アップリンク送信ビーム指示情報は、ダウンリンク送信ビーム番号またはダウンリンク参照信号指示情報またはダウンリンク受信ビーム指示情報を含む。
【０１０１】
本実施例において、選択可能に、前記装置は、アップリンク参照信号またはアップリンク／ダウンリンクビーム相反性に基づいて端末のアップリンク送信ビームを特定する第１特定モジュールをさらに含む。
【０１０２】
本実施例において、選択可能に、前記第１特定モジュールは、前記端末から複数のアップリンク送信ビーム候補で送信されたアップリンク参照信号を受信する受信ユニットと、前記アップリンク参照信号によって最適なアップリンク送信ビームを特定する第１特定ユニットとを含む。
【０１０３】
本実施例において、選択可能に、各アップリンク送信ビーム候補の参照信号は、当該ビームに対応するビームフォーミング重み値によってフォーミングされてから送信される。
【０１０４】
本実施例において、選択可能に、前記装置は、自身の測定結果、または、自身の測定結果および前記端末から報告された測定結果に基づいて、ビーム種類指示情報を特定する第２特定モジュールをさらに含む。
【０１０５】
本実施例において、選択可能に、前記第２特定モジュールは、前記端末から送信されたアップリンク参照信号を測定して各アップリンク参照信号の受信品質を得る第１測定ユニットと、前記端末からダウンリンク参照信号に基づいて得られたアップリンク送信ビームで送信されたアップリンク信号を測定して前記アップリンク信号の受信品質を得る第２測定ユニットと、少なくとも１つのアップリンク参照信号の受信品質がアップリンク信号の受信品質より高くなると、アップリンク参照信号に基づいてアップリンク送信ビームを得るよう端末に指示することを選択し、逆の場合、ダウンリンク参照信号に基づいてアップリンク送信ビームを得るよう端末に指示することを選択する第１選択ユニットとを含む。
【０１０６】
本実施例において、選択可能に、前記第２特定モジュールは、前記端末から送信されたアップリンク参照信号を測定して各アップリンク参照信号の受信品質を得る第３測定ユニットと、前記端末から報告されたダウンリンク参照信号の受信品質を受信する第１受信ユニットと、少なくとも１つのアップリンク参照信号の受信品質が端末から報告されたすべてのダウンリンク参照信号の受信品質より高くなると、アップリンク参照信号に基づいてアップリンク送信ビームを得るよう端末に指示することを選択し、端末から報告された少なくとも１つのダウンリンク参照信号の受信品質がすべてのアップリンク参照信号の受信品質がより高くなると、ダウンリンク参照信号に基づいてアップリンク送信ビームを得るよう端末に指示することを選択する第２選択ユニットとを含む。
【０１０７】
本実施例において、選択可能に、前記装置は、前記端末から特定済みのアップリンク送信ビームで送信されたアップリンク信号を受信する第１受信モジュールをさらに含む。
【０１０８】
本実施例において、選択可能に、前記第１受信モジュールは、アップリンク参照信号に基づいてアップリンク送信ビームを得るよう前記端末に指示した場合、指示されたアップリンク送信ビームに対応するアップリンク受信ビームで前記端末のアップリンク信号を受信し、または、ダウンリンク参照信号に基づいてアップリンク送信ビームを得るよう前記端末に指示した場合、指示されたダウンリンク送信ビームに対応するアップリンク受信ビームで端末のアップリンク信号を受信する第２受信ユニットを含む。
【０１０９】
同一の発明思想に基づいて、本開示の実施例は、アップリンク送信ビーム特定装置をさらに提供する。当該装置は、問題を解決する原理が本開示の実施例の図５、図６におけるアップリンク送信ビーム特定方法に似るため、その実施例については方法の実施例を参照されたく、重複なところを繰り返して記載しない。
【０１１０】
図８を参照する。図８には、アップリンク送信ビーム特定装置の構造が示されている。当該装置は、端末のアップリンク送信ビームがアップリンク参照信号またはダウンリンク参照信号に基づいて得られることを指示するためのビーム種類指示情報を含むアップリンク送信ビーム指示情報を基地局から受信する第２受信モジュール８０１と、アップリンク送信ビーム指示情報に基づいてアップリンク送信ビームを特定する第３特定モジュール８０２とを含む。
【０１１１】
本実施例において、選択可能に、前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む。
【０１１２】
本実施例において、選択可能に、前記装置は、アップリンク参照信号に基づいてアップリンク送信ビームを得るよう、アップリンク送信ビーム指示情報によって端末に指示した場合、アップリンク送信ビーム番号またはアップリンク参照信号指示情報に基づいて、アップリンク送信ビームの重み値を特定する第４特定モジュールをさらに含む。
【０１１３】
本実施例において、選択可能に、第４特定モジュールは、さらに、アップリンク送信ビーム番号とビームフォーミング重み値との間のマッピング関係に基づいて、アップリンク送信ビームの重み値を特定し、または、アップリンク送信ビームとビームフォーミング重み値との間のマッピング関係に基づいて、アップリンク送信ビームの重み値を特定する。
【０１１４】
本実施例において、選択可能に、前記装置は、ダウンリンク参照信号に基づいてアップリンク送信ビームを特定するよう、アップリンク送信ビーム指示情報によって端末に指示した場合、ダウンリンク送信ビーム番号またはダウンリンク参照信号指示情報に基づいて、アップリンク送信ビームの重み値を特定する第５特定モジュールをさらに含む。
【０１１５】
本実施例において、選択可能に、前記第５特定モジュールは、ダウンリンク送信ビーム番号またはダウンリンク参照信号指示情報に基づいて、対応するダウンリンク受信ビームを特定する第２特定ユニットと、チャネル相反性に基づいて、前記ダウンリンク受信ビームからアップリンク送信ビームの重み値を特定する第３特定ユニットとを含む。
【０１１６】
本開示の実施例は、第１メモリ、第１プロセッサおよび第１メモリに記憶されて第１プロセッサで実行可能なコンピュータプログラムを含む基地局を提供し、前記第１プロセッサが前記コンピュータプログラムを実行すると、上記のアップリンク送信ビーム特定方法のステップが実現される。
【０１１７】
図９を参照する。図９には、基地局の構造が示されている。当該基地局は、第１メモリ、第１プロセッサおよび第１メモリに記憶されて第１プロセッサで実行可能なコンピュータプログラムを含む。前記第１プロセッサが前記プログラムを実行すると、以下のステップが実現される。すなわち、端末のアップリンク送信ビームがアップリンク参照信号またはダウンリンク参照信号に基づいて得られることを指示するためのビーム種類指示情報を含むアップリンク送信ビーム指示情報を端末に送信する。
【０１１８】
図９において、バスアーキテクチャ（第１バス９００で示す）は、任意数の相互接続するバスとブリッジを含む。第１バス９００は、第１プロセッサ９０４をはじめとする１つ又は複数のプロセッサと第１メモリ９０５をはじめとするメモリの各種類の回路が接続したものである。第１バス９００は、周辺イクイップメント、レギュレーター、電力管理回路などの各種類のほかの回路を接続したものであってもよい。これらは、いずれも本分野の公知事項であり、本文においてさらなる記載をしない。第１バスインタフェース９０３により、第１バス９００と第１トランシーバ９０１との間でインタフェースが提供される。第１トランシーバ９０１は、１つの部品であってもよく、複数の受信機および送信機など、複数の部品であってもよく、伝送媒体でほかの各種類の装置と通信するユニットとして提供される。第１プロセッサ９０４によって処理されたデータは、第１アンテナ９０２を介して無線媒体で伝送される。さらに、第１アンテナ９０２は、データを受信し、データを第１プロセッサ９０４に伝送する。
【０１１９】
第１プロセッサ９０４は、第１バス９００と通常の処理を管理し、さらに計時、周囲インタフェース、電圧調節、電源管理およびほかの制御機能など、様々な機能も提供する。第１メモリ９０５は、第１プロセッサ９０４による操作実行に用いられるデータを記憶ことに用いられる。
【０１２０】
選択可能に、第１プロセッサ９０４は、ＣＰＵ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ）である。
【０１２１】
選択可能に、前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが前記基地局によって指示される場合、前記アップリンク送信ビーム指示情報は、ダウンリンク送信ビーム番号またはダウンリンク参照信号指示情報またはダウンリンク受信ビーム指示情報を含む。
【０１２２】
選択可能に、第１プロセッサは、さらに、アップリンク参照信号またはアップリンク／ダウンリンクビーム相反性に基づいて端末のアップリンク送信ビームを特定する。
【０１２３】
選択可能に、第１プロセッサは、さらに、前記端末から複数のアップリンク送信ビーム候補で送信されたアップリンク参照信号を受信し、前記アップリンク参照信号によって最適なアップリンク送信ビームを特定する。
【０１２４】
選択可能に、各アップリンク送信ビーム候補のアップリンク参照信号は、当該ビームに対応するビームフォーミング重み値によってフォーミングされてから送信される。
【０１２５】
選択可能に、前記端末のアップリンク参照信号は、前記基地局によって構成されたリソースで送信される。
【０１２６】
選択可能に、第１プロセッサは、さらに、自身の測定結果、または、自身の測定結果および前記端末から報告された測定結果に基づいて、ビーム種類指示情報を特定する。
【０１２７】
選択可能に、第１プロセッサは、さらに、前記端末から送信されたアップリンク参照信号を測定して各アップリンク参照信号の受信品質を得る。第１プロセッサは、さらに、前記端末からチャネル相反性ビームで送信されたアップリンク信号を測定し、チャネル相反性で送信されたアップリンク参照信号の受信品質を得る。第１プロセッサは、さらに、少なくとも１つのアップリンク参照信号の受信品質がチャネル相反性で送信されたアップリンク信号の受信品質より高くなると、アップリンク参照信号に基づいてアップリンク送信ビームを得るよう端末に指示することを選択し、逆の場合、ダウンリンク参照信号に基づいてアップリンク送信ビームを得るよう端末に指示することを選択する。
【０１２８】
選択可能に、第１プロセッサは、さらに、前記端末から送信されたアップリンク参照信号を測定して各アップリンク参照信号の受信品質を得る。第１プロセッサは、さらに、前記端末から報告されたダウンリンク参照信号の受信品質を受信する。第１プロセッサは、さらに、少なくとも１つのアップリンク参照信号の受信品質が端末から報告されたすべてのダウンリンク参照信号の受信品質より高くなると、アップリンク参照信号に基づいてアップリンク送信ビームを得るよう端末に指示することを選択し、端末から報告された少なくとも１つのダウンリンク参照信号の受信品質がすべてのアップリンク参照信号の受信品質がより高くなると、ダウンリンク参照信号に基づいてアップリンク送信ビームを得るよう端末に指示することを選択する。
【０１２９】
選択可能に、第１プロセッサは、さらに、前記端末から特定済みのアップリンク送信ビームで送信されたアップリンク信号を受信する。
【０１３０】
選択可能に、第１プロセッサは、さらに、アップリンク参照信号に基づいてアップリンク送信ビームを得るよう前記端末に指示した場合、前記基地局によって指示されたアップリンク送信ビームに対応するアップリンク受信ビームで前記端末のアップリンク信号を受信し、または、ダウンリンク参照信号に基づいてアップリンク送信ビームを得るよう前記端末に指示した場合、指示されたダウンリンク送信ビームに対応するアップリンク受信ビームで端末のアップリンク信号を受信する。
【０１３１】
本開示の実施例は、第２メモリ、第２プロセッサおよび第２メモリに記憶されて第２プロセッサで実行可能なコンピュータプログラムを含む端末を提供し、前記第２プロセッサが前記コンピュータプログラムを実行すると、上記のアップリンク送信ビーム特定方法のステップが実現される。
【０１３２】
図１０を参照する。図１０には、端末の構造が示されている。当該端末は、第２メモリ、第２プロセッサおよび第２メモリに記憶されて第２プロセッサで実行可能なコンピュータプログラムを含む。前記第２プロセッサが前記プログラムを実行すると、以下のステップが実現される。すなわち、端末のアップリンク送信ビームがアップリンク参照信号またはダウンリンク参照信号に基づいて得られることを指示するためのビーム種類指示情報を含むアップリンク送信ビーム指示情報を基地局から受信し、アップリンク送信ビーム指示情報に基づいてアップリンク送信ビームを特定する。
【０１３３】
図１０において、バスアーキテクチャ（第２バス１０００で示す）は、任意数の相互接続するバスとブリッジを含む。第２バス１０００は、第２プロセッサ１００１をはじめとする１つ又は複数のプロセッサと第２メモリ１００４をはじめとするメモリの各種類の回路が接続したものである。第２バス１０００は、周辺イクイップメント、レギュレーター、電力管理回路などの各種類のほかの回路を接続したものであってもよい。これらは、いずれも本分野の公知事項であり、本文においてさらなる記載をしない。第２バスインタフェース１００３により、第２バス１０００と第２トランシーバ１００２との間でインタフェースが提供される。第２トランシーバ１００２は、１つの部品であってもよく、複数の受信機および送信機など、複数の部品であってもよく、伝送媒体でほかの各種類の装置と通信するユニットとして提供される。たとえば、第２トランシーバ１００２は、ほかの機器から外部データを受信する。第２トランシーバ１００２は、第２プロセッサ１００１による処理後のデータをほかの機器に送信する。計算システムの性質によっては、キーパッド、ディスプレイ、スピーカ、マイクロフォン、ジョイスティックなどのユーザインタフェース１００５が提供される。
【０１３４】
第２プロセッサ１００１は、第２バス１０００と通常の処理を管理し、たとえば前記のように汎用のオペレーティングシステムを実行する。第２メモリ１００４は、第２プロセッサ１００１による作業時に使用されるデータを記憶することに用いられる。
【０１３５】
選択可能に、第２プロセッサ１００１は、ＣＰＵ、ＡＳＩＣ、ＦＰＧＡまたはＣＰＬＤである。
【０１３６】
選択可能に、前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む。
【０１３７】
選択可能に、第２プロセッサ１００１は、さらに、アップリンク参照信号に基づいてアップリンク送信ビームを得るようアップリンク送信ビーム指示情報によって端末に指示した場合、アップリンク送信ビーム番号またはアップリンク参照信号指示情報に基づいてアップリンク送信ビームの重み値を特定する。
【０１３８】
選択可能に、第２プロセッサ１００１は、さらに、アップリンク参照信号番号がすべてのビーム候補の範囲内で選択されるのであれば、アップリンク送信ビーム番号とビームフォーミング重み値との間のマッピング関係に基づいて、アップリンク送信ビームの重み値を特定し、または、アップリンク参照信号番号がアップリンク参照信号の範囲内で選択されるのであれば、アップリンク送信ビームとビームフォーミング重み値との間のマッピング関係に基づいて、アップリンク送信ビームの重み値を特定する。
【０１３９】
選択可能に、第２プロセッサ１００１は、さらに、ダウンリンク参照信号に基づいてアップリンク送信ビームを特定するようアップリンク送信ビーム指示情報によって端末に指示した場合、ダウンリンク送信ビーム番号またはダウンリンク参照信号指示情報に基づいて、アップリンク送信ビームの重み値を特定する。
【０１４０】
選択可能に、第２プロセッサ１００１は、さらに、ダウンリンク送信ビーム番号またはダウンリンク参照信号指示情報に基づいて、対応するダウンリンク受信ビームを特定し、チャネル相反性に基づいて、前記ダウンリンク受信ビームからアップリンク送信ビームの重み値を特定する。
【０１４１】
本開示の実施例は、コンピュータプログラム（指令）が記憶されているコンピュータ読み取り可能な記憶媒体を提供し、当該プログラム（指令）がプロセッサによって実行されると、以下のステップが実現される。すなわち、端末のアップリンク送信ビームがアップリンク参照信号またはダウンリンク参照信号に基づいて得られることを指示するためのビーム種類指示情報を含むアップリンク送信ビーム指示情報を端末に送信する。
【０１４２】
本実施例において、選択可能に、当該プログラム（指令）がプロセッサによって実行されると、以下のステップが実現される。すなわち、アップリンク参照信号またはアップリンク／ダウンリンクビーム相反性に基づいて端末のアップリンク送信ビームを特定する。
【０１４３】
本実施例において、選択可能に、当該プログラム（指令）がプロセッサによって実行されると、以下のステップが実現される。すなわち、前記端末から複数のアップリンク送信ビーム候補で送信されたアップリンク参照信号を受信し、前記アップリンク参照信号によって最適なアップリンク送信ビームを特定する。
【０１４４】
本実施例において、選択可能に、当該プログラム（指令）がプロセッサによって実行されると、以下のステップが実現される。すなわち、自身の測定結果、または、基地局自身の測定結果および前記端末から報告された測定結果に基づいて、ビーム種類指示情報を特定する。
【０１４５】
本実施例において、選択可能に、当該プログラム（指令）がプロセッサによって実行されると、以下のステップが実現される。すなわち、
前記端末から送信されたアップリンク参照信号を測定して各アップリンク参照信号の受信品質を得る。
前記端末からチャネル相反性ビームで送信されたアップリンク信号を測定し、チャネル相反性で送信されたアップリンク参照信号の受信品質を得る。
少なくとも１つのアップリンク参照信号の受信品質がチャネル相反性で送信されたアップリンク信号の受信品質より高くなると、アップリンク参照信号に基づいてアップリンク送信ビームを得るよう端末に指示することを選択し、逆の場合、ダウンリンク参照信号に基づいてアップリンク送信ビームを得るよう端末に指示することを選択する。
【０１４６】
本実施例において、選択可能に、当該プログラム（指令）がプロセッサによって実行されると、以下のステップが実現される。すなわち、
前記端末から送信されたアップリンク参照信号を測定して各アップリンク参照信号の受信品質を得る。
前記端末から報告されたダウンリンク参照信号の受信品質を受信する。
少なくとも１つのアップリンク参照信号の受信品質が端末から報告されたすべてのダウンリンク参照信号の受信品質より高くなると、アップリンク参照信号に基づいてアップリンク送信ビームを得るよう端末に指示することを選択する。
端末から報告された少なくとも１つのダウンリンク参照信号の受信品質がすべてのアップリンク参照信号の受信品質がより高くなると、ダウンリンク参照信号に基づいてアップリンク送信ビームを得るよう端末に指示することを選択する。
【０１４７】
本実施例において、選択可能に、当該プログラム（指令）がプロセッサによって実行されると、以下のステップが実現される。すなわち、
基地局は、アップリンク参照信号に基づいてアップリンク送信ビームを得るよう前記端末に指示した場合、前記基地局によって指示されたアップリンク送信ビームに対応するアップリンク受信ビームで前記端末のアップリンク信号を受信し、または、ダウンリンク参照信号に基づいてアップリンク送信ビームを得るよう前記端末に指示した場合、前記基地局によって指示されたダウンリンク送信ビームに対応するアップリンク受信ビームで端末のアップリンク信号を受信する。
【０１４８】
本開示の実施例は、コンピュータプログラム（指令）が記憶されているコンピュータ読み取り可能な記憶媒体を提供し、当該プログラム（指令）がプロセッサによって実行されると、以下のステップが実現される。すなわち、
端末のアップリンク送信ビームがアップリンク参照信号またはダウンリンク参照信号に基づいて得られることを指示するためのビーム種類指示情報を含むアップリンク送信ビーム指示情報を、基地局から受信する。
アップリンク送信ビーム指示情報に基づいてアップリンク送信ビームを特定する。
【０１４９】
本実施例において、選択可能に、当該プログラム（指令）がプロセッサによって実行されると、以下のステップが実現される。すなわち、アップリンク参照信号に基づいてアップリンク送信ビームを得るようアップリンク送信ビーム指示情報によって指示された場合、アップリンク送信ビーム番号またはアップリンク参照信号指示情報に基づいてアップリンク送信ビームの重み値を特定する。
【０１５０】
本実施例において、選択可能に、当該プログラム（指令）がプロセッサによって実行されると、以下のステップが実現される。すなわち、アップリンク参照信号番号がすべてのビーム候補の範囲内で選択される場合、アップリンク送信ビーム番号とビームフォーミング重み値との間のマッピング関係に基づいて、アップリンク送信ビームの重み値を特定し、または、アップリンク参照信号番号がアップリンク参照信号の範囲内で選択される場合、アップリンク送信ビームとビームフォーミング重み値との間のマッピング関係に基づいて、アップリンク送信ビームの重み値を特定する。
【０１５１】
本実施例において、選択可能に、当該プログラム（指令）がプロセッサによって実行されると、以下のステップが実現される。すなわち、ダウンリンク参照信号に基づいてアップリンク送信ビームを特定するようアップリンク送信ビーム指示情報によって指示された場合、ダウンリンク送信ビーム番号またはダウンリンク参照信号指示情報に基づいて、アップリンク送信ビームの重み値を特定する。
【０１５２】
本実施例において、選択可能に、当該プログラム（指令）がプロセッサによって実行されると、以下のステップが実現される。すなわち、
ダウンリンク送信ビーム番号またはダウンリンク参照信号指示情報に基づいて、対応するダウンリンク受信ビームを特定する。
チャネル相反性に基づいて、前記ダウンリンク受信ビームからアップリンク送信ビームの重み値を特定する。
【０１５３】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０１５４】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【０１５５】
また、本文において、「システム」と「ネットワーク」は、常に互換して使用することができる。
【０１５６】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０１５７】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０１５８】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１５９】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１６０】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１６１】
以上記載されたのは、本開示の選択可能な実施形態である。当業者は、本開示に記載されている原理を逸脱せずに様々な改良や修飾をすることもできる。これらの改良や修飾も、本開示の保護範囲内に含まれる。
【図１】
2020512748.tif 000027
【図２】
2020512748.tif 000028
【図３】
2020512748.tif 000029
【図４】
2020512748.tif 000030
【図５】
2020512748.tif 000031
【図６】
2020512748.tif 000032
【図７】
2020512748.tif 000033
【図８】
2020512748.tif 000034
【図９】
2020512748.tif 000035
【図１０】
2020512748.tif 000036
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
端末のアップリンク送信ビームがアップリンク参照信号またはダウンリンク参照信号に基づいて得られることを指示するためのビーム種類指示情報を含むアップリンク送信ビーム指示情報を、基地局から端末に送信することを含むアップリンク送信ビーム特定方法。
【請求項２】
前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、
前記端末のアップリンク送信ビームがダウンリンク参照信号に基づいて得られることが前記基地局によって指示される場合、前記アップリンク送信ビーム指示情報は、ダウンリンク送信ビーム番号またはダウンリンク参照信号指示情報またはダウンリンク受信ビーム指示情報を含む請求項１に記載の方法。
【請求項３】
アップリンク送信ビーム指示情報を基地局から端末に送信する前に、
前記基地局が、アップリンク参照信号またはアップリンク／ダウンリンクビーム相反性に基づいて端末のアップリンク送信ビームを特定することをさらに含む請求項１に記載の方法。
【請求項４】
前記基地局がアップリンク参照信号に基づいて前記端末のアップリンク送信ビームを特定することは、
前記基地局が、前記端末から複数のアップリンク送信ビーム候補で送信されたアップリンク参照信号を受信することと、
前記基地局が、前記アップリンク参照信号によって最適なアップリンク送信ビームを特定することとを含み、
各アップリンク送信ビーム候補のアップリンク参照信号は、当該アップリンク送信ビーム候補に対応するビームフォーミング重み値によってフォーミングされてから送信される請求項３に記載の方法。
【請求項５】
アップリンク送信ビーム指示情報を基地局から端末に送信する前に、
前記基地局が、自身の測定結果、または、自身の測定結果および前記端末から報告された測定結果に基づいて、ビーム種類指示情報を特定することをさらに含む請求項１に記載の方法。
【請求項６】
前記基地局が自身の測定結果に基づいてビーム種類指示情報を特定することは、
前記基地局が、前記端末から送信されたアップリンク参照信号を測定して各アップリンク参照信号の受信品質を得ることと、
前記基地局が、前記端末からダウンリンク参照信号に基づいて得られたアップリンク送信ビームで送信されたアップリンク信号を測定して前記アップリンク信号の受信品質を得ることと、
少なくとも１つのアップリンク参照信号の受信品質が前記アップリンク信号の受信品質より高くなると、前記基地局が、アップリンク参照信号に基づいてアップリンク送信ビームを得るよう端末に指示することを選択し、逆の場合、ダウンリンク参照信号に基づいてアップリンク送信ビームを得るよう端末に指示することを選択することとを含む請求項５に記載の方法。
【請求項７】
前記基地局が、自身の測定結果および前記端末から報告された測定結果に基づいてビーム種類指示情報を特定することは、
前記基地局が、前記端末から送信されたアップリンク参照信号を測定して各アップリンク参照信号の受信品質を得ることと、
前記基地局が、前記端末から報告されたダウンリンク参照信号の受信品質を受信することと、
少なくとも１つのアップリンク参照信号の受信品質が端末から報告されたすべてのダウンリンク参照信号の受信品質より高くなると、前記基地局が、アップリンク参照信号に基づいてアップリンク送信ビームを得るよう端末に指示することを選択することと、
端末から報告された少なくとも１つのダウンリンク参照信号の受信品質がすべてのアップリンク参照信号の受信品質がより高くなると、前記基地局が、ダウンリンク参照信号に基づいてアップリンク送信ビームを得るよう端末に指示することを選択することとを含む請求項５に記載の方法。
【請求項８】
前記基地局が、前記端末から特定済みのアップリンク送信ビームで送信されたアップリンク信号を受信することをさらに含み、
前記基地局が、前記端末から特定済みのアップリンク送信ビームで送信されたアップリンク信号を受信することは、
前記基地局が、アップリンク参照信号に基づいてアップリンク送信ビームを得るよう前記端末に指示した場合、前記基地局によって指示されたアップリンク送信ビームに対応するアップリンク受信ビームで前記端末のアップリンク信号を受信すること、または、
前記基地局が、ダウンリンク参照信号に基づいてアップリンク送信ビームを得るよう前記端末に指示した場合、前記基地局によって指示されたダウンリンク送信ビームに対応するアップリンク受信ビームで端末のアップリンク信号を受信することを含む請求項２に記載の方法。
【請求項９】
端末のアップリンク送信ビームがアップリンク参照信号またはダウンリンク参照信号に基づいて得られることを指示するためのビーム種類指示情報を含むアップリンク送信ビーム指示情報を、端末が基地局から受信することと、
前記端末が、アップリンク送信ビーム指示情報に基づいてアップリンク送信ビームを特定することとを含むアップリンク送信ビーム特定方法。
【請求項１０】
前記端末のアップリンク送信ビームがアップリンク参照信号に基づいて得られることが前記基地局によって指示される場合、前記アップリンク送信ビーム指示情報は、アップリンク送信ビーム番号またはアップリンク参照信号指示情報を含み、または、
前記端末のアップリンク送信ビームがダウンリンク参照信号に基づいて得られることが前記基地局によって指示される場合、アップリンク送信ビーム指示情報は、ダウンリンク送信ビーム番号またはダウンリンク参照信号指示情報またはダウンリンク受信ビーム指示情報を含む請求項９に記載の方法。
【請求項１１】
端末が、アップリンク参照信号に基づいてアップリンク送信ビームを得るようアップリンク送信ビーム指示情報によって指示された場合、アップリンク送信ビーム番号またはアップリンク参照信号指示情報に基づいてアップリンク送信ビームの重み値を特定することをさらに含む請求項１０に記載の方法。
【請求項１２】
前記端末が、ダウンリンク参照信号に基づいてアップリンク送信ビームを特定するようアップリンク送信ビーム指示情報によって指示された場合、ダウンリンク送信ビーム番号またはダウンリンク参照信号指示情報に基づいて、アップリンク送信ビームの重み値を特定することをさらに含み、
前記端末がダウンリンク送信ビーム番号またはダウンリンク参照信号指示情報に基づいてアップリンク送信ビームの重み値を特定することは、
前記端末が、ダウンリンク送信ビーム番号またはダウンリンク参照信号指示情報に基づいて、対応するダウンリンク受信ビームを特定することと、
チャネル相反性に基づいて、前記ダウンリンク受信ビームからアップリンク送信ビームの重み値を特定することとを含む請求項１０に記載の方法。
【請求項１３】
端末のアップリンク送信ビームがアップリンク参照信号またはダウンリンク参照信号に基づいて得られることを指示するためのビーム種類指示情報を含むアップリンク送信ビーム指示情報を端末に送信する送信モジュールを含むアップリンク送信ビーム特定装置。
【請求項１４】
前記端末のアップリンク送信ビームがアップリンク参照信号に基づいて得られることが基地局によって指示される場合、前記アップリンク送信ビーム指示情報は、アップリンク送信ビーム番号またはアップリンク参照信号指示情報を含み、または、
前記端末のアップリンク送信ビームがダウンリンク参照信号に基づいて得られることが基地局によって指示される場合、前記アップリンク送信ビーム指示情報は、ダウンリンク送信ビーム番号またはダウンリンク参照信号指示情報またはダウンリンク受信ビーム指示情報を含み、あるいは、
前記アップリンク送信ビーム特定装置は、
アップリンク参照信号またはアップリンク／ダウンリンクビーム相反性に基づいて端末のアップリンク送信ビームを特定する第１特定モジュールをさらに含む請求項１３に記載の装置。
【請求項１５】
端末のアップリンク送信ビームがアップリンク参照信号またはダウンリンク参照信号に基づいて得られることを指示するためのビーム種類指示情報を含むアップリンク送信ビーム指示情報を基地局から受信する第２受信モジュールと、
アップリンク送信ビーム指示情報に基づいてアップリンク送信ビームを特定する第３特定モジュールとを含むアップリンク送信ビーム特定装置。
【国際調査報告】
2020512748.tif 000037
2020512748.tif 000038
2020512748.tif 000039
2020512748.tif 000040